【事件の表示】
　商願２００２−１２１００拒絶査定不服審判事件について、次のとおり審決する。
【結　論】
　原査定を取り消す。
　本願商標は、登録すべきものとする。
【理　由】
１　本願商標
　本願商標は、後掲に示したとおりの構成よりなり、第２６類「糸つき針，漁網製作用杼，メリヤス機械用編針，針類，被服用はとめ，テープ，リボン，編みレース生地，刺しゅうレース生地，房類，組みひも，編み棒，裁縫箱，裁縫用へら，裁縫用指抜き，針刺し，針箱（貴金属製のものを除く。），腕止め，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，頭飾品，ボタン類，造花の花輪，造花（「造花の花輪」を除く。），つけあごひげ，つけ口ひげ，ヘアカーラー（電気式のものを除く。），靴飾り（貴金属製のものを除く。），靴はとめ，靴ひも，靴ひも代用金具」を指定商品として、平成１４年２月１９日に登録出願されたものである。
　
２　原査定の拒絶の理由
　（１）本願商標は、その構成中に商品ボタンを意味する「ｂｕｔｔｏｎ」「ボタン」の文字を含むものであるから、これを本願指定商品に使用した場合、本願商標に接する取引者・需要者は、該商品がボタン類であると認識するので、本願指定商品中ボタン類以外の商品に使用するときは、商品の品質について、誤認・混同を生ずるおそれがある。したがって、本願商標は、商標法第４条第１項第１６号に該当する。 
（２）原査定が、本願商標は、商標法第４条第１項第１１号に該当するとして引用した登録第６３９８４６号商標は、「ＱＵＩＣＫ」の欧文字と「クイック」の片仮名文字とを上下二段に横書きしてなり、昭和３７年１２月１０日登録出願、第１６類「織物、編物、フェルト、その他の布地」を指定商品として、同３９年３月３１日に設定登録、その後、同５０年５月２６日、同５９年８月２３日、平成６年９月２９日及び同１６年４月６日の四回にわたり商標権存続期間の更新登録がなされ、また、指定商品については、同１７年４月１３日に指定商品の書換登録があった結果、第１７類「石綿織物，石綿製フェルト」、第２４類「織物，メリヤス生地，フェルト，不織布，オイルクロス，ゴム引防水布，ビニルクロス，ラバークロス，レザークロス，ろ過布」及び第２６類「テープ，リボン，編みレース生地，刺しゅうレース生地，房類」とされたものである。
　同じく、登録第７４０３１６号商標は、「クイック」の片仮名文字を横書きしてなり、昭和４０年１１月１１日登録出願、第２０類「家具、畳類、建具、屋内装置品、屋外装置品、記念カツプ類、葬祭用具」を指定商品として、同４２年４月２５日に設定登録、その後、同５３年４月６日、同６２年１１月１７日及び平成９年４月１８日の三回にわたり商標権存続期間の更新登録がなされたものである。
　同じく、登録第７８４３０５号商標は、「ＱＵＩＣＫ」の欧文字と「クイック」の片仮名文字とを上下二段に横書きしてなり、昭和４２年３月３日登録出願、第１３類「針」を指定商品として、同４３年７月４日に設定登録、その後、同５３年７月３日、同６３年８月２４日及び平成１０年４月２８日の三回にわたり商標権存続期間の更新登録がなされたものである。　
　同じく、登録第２１７６１３７号商標は、「クイック」の片仮名文字と「ＱＵＩＣＫ」の欧文字とを上下二段に横書きしてなり、昭和５８年１月１７日登録出願、第１９類「台所用品、日用品」を指定商品として、平成元年１０月３１日に設定登録、その後、同１１年６月２９日に商標権存続期間の更新登録がなされたものである。
　同じく、登録第２５３５３８８号商標は、「クイック」の片仮名文字と「ＱＵＩＣＫ」の欧文字とを上下二段に横書きしてなり、平成元年６月３０日登録出願、第２１類「 装身具、ボタン類、かばん類、袋物、宝玉及びその模造品、造花、化粧用具（歯ブラシ、ヘアブラシを除く）」を指定商品として、同５年５月３１日に設定登録、その後、同１５年４月１５日に商標権存続期間の更新登録がなされ、また、指定商品については、同１６年９月１５日に指定商品の書換登録があった結果、第２１類「化粧用具（「電気式歯ブラシ・歯ブラシ・ヘアブラシ」を除く）」とされているものである。
　同じく、登録第２５４６６５６号商標は、「クイック」の片仮名文字を横書きしてなり、平成元年３月２４日登録出願、第１３類「手動利器（但し、針類を除く）手動工具、金具」を指定商品として、同５年６月３０日に設定登録、その後、同１５年２月４日に商標権存続期間の更新登録がなされ、また、指定商品については、同１６年７月２１日に指定商品の書換登録があった結果、第３類「研磨紙，研磨布，研磨用砂，人造軽石，つや出し紙，つや出し布」、第６類「かな床，はちの巣，金属製金具」、第８類「手動利器（「刀剣」を除く。），刀剣，手動工具（『すみつぼ類・皮砥・鋼砥・砥石』を除く。），すみつぼ類，皮砥，鋼砥，砥石」、第１１類「水道蛇口用座金，水道蛇口用ワッシャー 」、第１４類「キーホルダー」、第１６類「装飾塗工用ブラシ」、第１７類「ゴム製又はバルカンファイバー製の座金及びワッシャー，蹄鉄（金属製のものを除く。）」、第１８類「かばん金具，がま口口金」、第２０類「カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。）」、第２１類「おけ用ブラシ，金ブラシ，管用ブラシ，工業用はけ，船舶ブラシ」及び第２６類「被服用はとめ」とされたものである。
　同じく、登録第２７０８４６３号商標は、「ＱＵＩＣＫ　＆　ＱＵＩＣＫ」の欧文字と「ＱＵＩＣＫ」の欧文字とを上下二段に横書きしてなり、平成２年１月１６日登録出願、第１９類「食器類，パン入れ，つぼ，たる，菓子かん，茶かん，食料または飲料貯蔵器具（パン入れ，つぼ，たる，菓子かん，茶かんを除く），調理用具，その他の台所用品（流し台，調理台を除く），清掃または洗たく用具，標札，ネ−ムプレ−ト，国旗，のぼり，旗，旗竿，うちわ，せんす，ちょうちん，あんどん，石油ランプ，灯芯，ほや，ろうそく，ろうそくたて，湯たんぽ，あんか，かいろ，かいろ灰，火ばし，五徳，十能，火消しつぼ，はえ取り紙，はえたたき，ねずみ取り器，植木ばち，植物の茎支持具，家庭園芸用水耕式植物栽培器，金魚ばち，観賞魚用水そう，観賞魚用水そう内において使用する飾り岩・水車・風車・燈台・模造植物，観賞魚用水そうに用いる揚水ポンプ・エア−ポンプ・ろ過器，小鳥籠，犬小屋，犬の首輪，犬の胴輪，犬の胴着，犬の靴，犬のおしゃぶり，愛玩動物用ブラシ，食器，はしご，きゃたつ，郵便受け，便器，和式便器用椅子，しびん，洗浄機能を備えた便座，洋服ブラシ，紙製手ふき，衛生手ふき（薬品をしみこませたもの），帽子掛けかぎ，家庭用し尿処理そう，家庭用汚水浄化そう，脱臭器，買物かご，護身棒，貯金箱，お守り，印刷したくじ（おもちゃを除く），荷札，家庭用塵芥焼却炉（器），水そう，化学物質を充填してなる保温保冷具，ハンガ−ボ−ド，靴下の型崩れ防止用台紙，工具箱，裁縫用具」を指定商品として、同７年７月３１日に設定登録されたものである。
　同じく、国際登録第７６０９８９号商標は、「ＱＵＩＣＫ」の欧文字を横書きしてなり、平成１３年（２００１年）１１月３０日登録出願、指定商品については、第２５類及び第２８類に属する原簿記載のとおりの商品を指定商品として、同１４年（２００２年）１０月１８日に設定登録されたものである。
　また、原査定が、商標登録出願中のものについては、その出願に係る商標が登録されたときに、商標法第４条第１項第１１号に該当することとなるとして引用した商標登録願２００２−１４２４６号は、その構成中に「ＱＵＩＣＫ」の欧文字を有する文字と図形の結合によりなり、平成１４年２月２６日に登録出願、第２５類「履物，運動用特殊靴」を指定商品とするものであるが、本引用商標は、拒絶査定され、その査定が平成１５年８月１９日に確定しているものである。
　
３　当審の判断
（１）商標法第４条第１項第１１号について
　本願商標は、後掲に示したとおり、「ｂｕｔｔｏｎＱｕｉｃｋ」（「Ｑ」の文字に相当する図形がボタンに糸を通している針の図形よりなる。）の欧文字よりなるものと容易に看取される図形込み文字と「ボタンクイック」の片仮名文字を上下二段に横書きしてなるものである。
　これに対し、引用各商標は、上記２（２）に示した構成よりなるものである。
　ところで、「ｂｕｔｔｏｎ」「ボタン」の文字は、「衣服などの合わせ目を留めるもの」を意味するものとして親しまれた語であり、「Ｑｕｉｃｋ」「クイック」の文字も「動作の速やかなさま」（何れも、広辞苑　第四版　岩波書店）を意味する同様に親しまれた語であるから、両語を結合してなる本願商標は、その構成中に有する「Ｑ」の文字に相当する図形がボタンに糸を通している針の図形よりなることからしても、全体として「ボタンを付けることが速やかにできる」ことを表しているものと看取でき、また、その構成もそれぞれ一体的であり、これより生ずると見られる「ボタンクイック」の称呼も冗長なものでなく、その他、これらを殊更分離して観察しなければならないものと見るべき理由はない。
　してみれば、本願商標は、一連の「ボタンクイック」の称呼のみを生ずるものといわざるを得ないから、本願商標より「クイック」の称呼をも生ずるとした上で引用各商標とを称呼上比較した原査定は、妥当なものということができない。
　そして、本願商標と引用各商標は、外観上明らかに相違し、観念上も、本願商標が「ボタンを付けることが速やかにできる」程の暗示的観念が生ずるのに対し、引用各商標は、単に「動作の速やかなさま」の観念が生ずるにすぎないものであるから、相紛れるおそれはない。
　してみれば、本願商標と引用各商標とは、その外観、称呼及び観念のいずれより見ても、何ら相紛れるおそれのない、非類似の商標である。
（２）商標法第４条第１項第１６号について
　本願商標は、上記（１）認定のとおり、全体として「ボタンを付けることが速やかにできる」ことを表しているものと看取でき、該「ｂｕｔｔｏｎ」「ボタン」の文字は、かかる本願商標の構成の一部を成し、従って単に商品の普通名称や品質を表すにすぎないものといい得ないものであるから、これを本願指定商品中ボタン類以外の商品に使用しても、商品の品質について誤認・混同を生ずるおそれはないものというのが相当である。
（３）結び
　したがって、本願商標は、商標法第４条第１項第１１号及び同第１６号の何れにも該当するものでないから、これを理由として本願を拒絶した原査定は、取り消すべきである。
　よって、結論のとおり審決する。